(57)【要約】【課題】歩行のリハビリテーションでは、現在の足の筋肉状態に応じた好適な歩き方を新たに習得できるようにすることが望まれている。【解決手段】靴下１は、伸縮性を有して足の表面にフィットする足袋体２と、足袋体２に設けられるマーカと、を有する。マーカは、足袋体２についての、足裏の前後方向において母指球と踵との間となる土踏まずに対応する中央部分１４のみに設けられる。マーカは、足裏において母指球の後端と外踝の下とを結ぶ線分と足裏において子指球の後端と内踝の下とを結ぶ線分とが交差する位置またはその位置からみて踵の側の近傍の位置にある。【選択図】  図４
2016014200.tif 000002
【特許請求の範囲】
【請求項１】
伸縮性を有し、足の表面にフィットする足袋体と、
前記足袋体に設けられるマーカと
を有し、
前記マーカは、前記足袋体についての、足裏の前後方向において母指球と踵との間となる土踏まずに対応する中央部分のみに設けられている
ことを特徴とする靴下。
【請求項２】
伸縮性を有する前記足袋体は、
円筒状の円筒部、前記円筒部の先端に形成されて足の指が入る指袋部、および前記円筒部の後部において突出して形成されて足の踵が入る踵部を有し、
前記マーカは、
前記指袋部と前記踵部との間のみに形成されることを特徴とする請求項１に記載の靴下。
【請求項３】
前記足袋体は、
前記円筒部、前記指袋部、および前記踵部を含む全体が同一の繊維により一体的に編んで形成された一枚編みである
ことを特徴とする請求項１に記載の靴下。
【請求項４】
前記マーカは、
足裏において母指球の後端と外踝の下とを結ぶ線分と足裏において子指球の後端と内踝の下とを結ぶ線分とが交差する位置に形成されるドット状のドットマーカを有する
ことを特徴とする請求項１に記載の靴下。
【請求項５】
前記マーカは、
足裏において母指球の後端と外踝の下とを結ぶ線分に沿って形成される第一ラインマーカと、
足裏において子指球の後端と内踝の下とを結ぶ線分に沿って形成される第二ラインマーカと
を有することを特徴とする請求項１に記載の靴下。
【発明の詳細な説明】
【技術分野】
【０００１】
本発明は、利用者が足に履いて使用する靴下に関する。特に、歩行などの運動をサポートする靴下に関する。
【背景技術】
【０００２】
利用者が足に履いて使用するものには、靴下がある。そして、靴下では、滑り止め加工をしたり、筋肉をサポートするテーピング機能を設けたり、足裏の血流を促進したり、足裏のつぼをマッサージしたりすることにより、多機能化が図られている（特許文献１〜３）。
【先行技術文献】
【特許文献】
【０００３】
【特許文献１】特開２００７−１９７８８２号公報
【特許文献２】特開２００６−１９３８４４号公報
【特許文献３】特開１９９９−２００１０３号公報
【発明の概要】
【発明が解決しようとする課題】
【０００４】
ところで、たとえば怪我などにより長期入院することにより、寝たきりになってしまう老人がいる。長期入院した老人などがそのまま寝たきりになってしまう原因は、長期入院により足の筋力が弱り、以前のように歩行できなくなることに一因があると考えられる。足の筋力が弱ると、以前と同じ歩き方で歩こうとしても、足の筋肉の反応が遅れたり、足の筋肉の連動が上手くゆかなかったりして、以前の歩き方のままではスムースに歩くことができない。仮に足の筋肉をサポートするテーピング機能を有する靴下を使用したとしても、上手くゆかない。以前と同じように歩行できるようになるにしても、非常に長い期間を要する。また、歩行の練習中に足をくじいたり、転んだりしでしまい、再度怪我をしてしまうこともある。
【０００５】
このように、歩行のリハビリテーションでは、現在の足の状態に応じた適切な歩き方を新たに習得できるようにすることが望まれている。
【課題を解決するための手段】
【０００６】
本発明に係る靴下は、伸縮性を有し、足の表面にフィットする足袋体と、前記足袋体に設けられるマーカと、を有し、前記マーカは、前記足袋体についての、足裏の前後方向において母指球と踵との間となる土踏まずに対応する中央部分のみに設けられている。
【０００７】
好適には、伸縮性を有する前記足袋体は、円筒状の円筒部、前記円筒部の先端に形成されて足の指が入る指袋部、および前記円筒部の後部において突出して形成されて足の踵が入る踵部、を有し、前記マーカは、前記指袋部と前記踵部との間のみに形成される、とよい。
【０００８】
好適には、前記足袋体は、前記円筒部、前記指袋部および前記踵部を含む全体が同一の繊維により一体的に編んで形成された、一枚編みである、とよい。
【０００９】
好適には、前記マーカは、足裏において母指球の後端と外踝の下とを結ぶ線分と、足裏において子指球の後端と内踝の下とを結ぶ線分とが交差する位置に形成される、ドット状のドットマーカ、を有する、とよい。
【００１０】
好適には、前記マーカは、足裏において母指球の後端と外踝の下とを結ぶ線分に沿って形成される第一ラインマーカと、足裏において子指球の後端と内踝の下とを結ぶ線分に沿って形成される第二ラインマーカと、を有する、とよい。
【発明の効果】
【００１１】
本発明では、伸縮性を有することにより足の表面にフィットする足袋体に、マーカを設けている。利用者が靴下を履くだけで、足の表面に当たる位置にマーカを設けることができる。しかも、マーカは、足袋体についての、足裏の前後方向において母指球と踵との間となる土踏まず部分に対応する中央部分のみに設けられている。マーカは、利用者の足裏の土踏まず部分のみに当たる。足裏についてのそれ以外の部分には、マーカが当たらない。よって、利用者の意識を、足裏の前後方向において土踏まず部分に集中させることができる。
【００１２】
そして、利用者が、足裏の土踏まず部分にマーカが当たる感覚を利用して歩行することにより、たとえば着地した足裏にマーカが押し当たるタイミングで歩行のための主動筋に力を入れるように足を動かすことにより、それまで縮ませていた足の拮抗筋の力が抜けて弛緩した状態で主動筋を縮ませることができる。利用者に、無駄がなく、スムースな動きの歩き方を意識させて習得させることができる。現在の足の筋力などの状態に応じた適切な歩き方を意識させて習得させることができる。歩行のリハビリテーションに有効である。また、老人だけでなく、一般人や運動選手などにおいても、無駄の少ない適切な歩き方や走り方を習得させることができる。
【図面の簡単な説明】
【００１３】
【図１】図１は、本発明の第１実施形態に係る靴下の底面図である。
【図２】図２は、図１の靴下の側面図である。
【図３】図３は、図１の靴下を足に装着した状態を示す側面図である。
【図４】図４は、図１の靴下を足に装着した状態を示す底面図である。
【図５】図５は、人間の足裏の説明図である。
【図６】図６は、本発明の第２実施形態に係る靴下の底面図である。
【図７】図７は、図６の靴下を足に装着した状態を示す底面図である。
【発明を実施するための形態】
【００１４】
以下、本発明の実施形態を図面に基づいて説明する。
【００１５】
［第１実施形態］
図１は、本発明の第１実施形態に係る靴下１の底面図である。図１には、左右一対の靴下１が図示されている。図２は、図１の靴下１の側面図である。図３は、図１の靴下１を足に装着した状態を示す側面図である。図４は、図１の靴下１を足に装着した状態を示す底面図である。第１実施形態の靴下１は、図３および図４に示すように、利用者が足に直接に履くものである。靴下１は、足の表面にフィットする足袋体２と足袋体２に設けられるドットマーカ３とを有する。
【００１６】
足袋体２は、利用者が靴下１を足に装着する場合に足の表面と直接触れる足袋状の部材である。図１および図２に示すように、足袋体２は、円筒状の円筒部１１と、足の指が入る指袋部１２と、足の踵が入る踵部１３とを有する。足袋体２は、綿、ポリエステル、化学繊維などの繊維を編んで形成される。足袋体２は、その全体が単一の繊維で一体的に編まれている、一枚編みの編み体である。このような足袋体２は、伸縮性を有し、足の形状に合わせて伸縮できる。
【００１７】
円筒部１１は、略円筒形状を有する。円筒部１１は、円筒の軸方向に長く形成される。指袋部１２は、足の指が一本ずつ入る。図１の靴下１は、５本分の指袋部１２を有する。５つの指袋部１２は、略円筒形状の先端に一体化される。これにより、略円筒形状の円筒部１１の先端は閉じられる。
【００１８】
踵部１３は、足の踵が入る。踵部１３は、円筒の軸方向に長い円筒部１１の後部において、円筒部１１から突出して形成される。このような足袋体２は、足の形状に合わせて伸縮する。よって、図３および図４に示すように、指袋部１２に足の指が入り、踵部１３に足の踵が入る。また、靴下１を装着する足の表面に密着するようにフィットする。足袋体２は、足の裏面にも密着する。そして、足袋体２には継ぎ目が無いので、足裏などに当たるものがなく、良好な装着性が得られる。
【００１９】
ドットマーカ３は、足袋体２に設けられる。ドットマーカ３は、たとえば、足袋体２に、プラスチック素材、ゴム素材を印刷などにより含浸させて形成すればよい。また、足袋体２の生地の一部を多重として、その他の部分より厚みがあるドットマーカ３を形成してもよい。
【００２０】
図１および図２に示すように、ドットマーカ３は、足袋体２についての足裏部分の中央部において、円形のドット形状に形成される。足袋体２についての足裏部分には、これ以外の異物を設けない。これにより、足裏には、凹凸物として、ドットマーカ３のみが当たることになる。
【００２１】
詳しくは、図３および図４に示すように、ドットマーカ３は、足袋体２についての、足裏の前後方向において母指球と踵との間となる土踏まずに対応する中央部分１４のみに設けられている。ドットマーカ３は、指袋部１２と踵部１３との間の中央部分１４のみに形成されている。そして、ドットマーカ３は、中央部分１４において、足裏において母指球の後端と外踝の下とを結ぶ線分Ｌ１と、足裏において子指球の後端と内踝の下とを結ぶ線分Ｌ２とが交差する位置に形成されている。
【００２２】
このように足裏の中央部分１４にドットマーカ３を設けることにより、靴下１を履いた利用者の足裏の土踏まずの縁の部分にドットマーカ３が当たる。利用者は、その皮膚感覚により、足裏に当たるドットマーカ３を認識することができる。また、ドットマーカ３以外のものが足裏に違和感を与えることがないので、違和感のある部位にドットマーカ３が当たっていることを認識できる。利用者は、ドットマーカ３に意識を集中させることができる。
【００２３】
そして、利用者は、足に靴下１を履いた状態で、たとえば平らな床面の上を歩行する。この際、足裏にドットマーカ３が押し当たるタイミングを基準として、前に出した足に力を入れて、体を移動させることができる。これにより、利用者は、スムースに歩行することができる。
【００２４】
以上のように、本実施形態では、伸縮性を有して足の表面にフィットする足袋体２についての、足裏の土踏まずに対応する中央部分１４のみにドットマーカ３が設けられている。このように足の表面にフィットする足袋体２にドットマーカ３が設けられているので、利用者が靴下１を履くだけで、足の表面に当たるドットマーカ３を設けることができる。しかも、ドットマーカ３は、足袋体２についての、足裏の前後方向において母指球と踵との間となる土踏まず部分に対応する中央部分１４のみに設けられているので、利用者の足裏の土踏まず部分のみにドットマーカ３が当たる。足裏についてのそれ以外の部分には、ドットマーカ３が当たらない。よって、利用者の意識を、足裏の前後方向において土踏まず部分のみに集中させることができる。
【００２５】
そして、歩行中にドットマーカ３が足裏の土踏まず部分に当たる感覚を利用して歩行することにより、たとえば着地した足裏にドットマーカ３が押し当たるタイミングで歩行のための主動筋に力を入れるように歩行することにより、それまで縮ませていた拮抗筋から力が抜けた弛緩した状態で主動筋を縮ませることができる。無駄がなく、スムースな動きの歩き方を意識させて習得させることができる。現在の足の筋肉状態に応じた歩き方を意識させて習得させることができる。歩行のリハビリテーションに有効である。また、一般人や運動選手などにおいても、無駄の少ない歩き方や走り方を習得するために好適に利用できる。
【００２６】
また、本実施形態では、ドットマーカ３は、伸縮性を有する足袋体２についての指袋部１２と踵部１３との間のみに形成されている。そして、伸縮性を有する足袋体２は、利用者の足の指が指袋部１２に入り、かつ、足の踵が踵部１３に入る状態で、装着される。伸縮性を有する足袋体２は、足の指と踵において位置決めされた状態で足の表面にフィットする。よって、指袋部１２と踵部１３との間のみに形成されるドットマーカ３は、足裏の前後方向において母指球と踵との間となる土踏まずに対応する所望の部分に位置決めされる。靴下１を履く際にドットマーカ３を意識することなく靴下１をはくことにより、利用者の足裏の所望の土踏まず部分にドットマーカ３を位置決めできる。
【００２７】
また、本実施形態では、足袋体２は、円筒部１１、指袋部１２および踵部１３を含む全体が同一の繊維により一体的に編んで形成されている。このように、足袋体２はその全体が同一の繊維により一体的に編んで形成された一枚編みであるので、足の表面に足袋体２の継ぎ目などが当たらない。足にフィットする靴下１において、ドットマーカ３以外のものが足裏に当たらない。ユーザは、皮膚感覚により足裏の当たりを意識するだけで、ドットマーカ３だけを意識することができる。
【００２８】
また、本実施形態では、ドットマーカ３は、足裏において母指球の後端と外踝の下とを結ぶ線分Ｌ１と、足裏において子指球の後端と内踝の下とを結ぶ線分Ｌ２とが交差する位置において、ドット状に形成されている。
【００２９】
図５は、人間の足裏の説明図である。図５に示すように、足裏において母指球２１の後端と外踝２２の下とを結ぶ線分Ｌ１と、足裏において子指球２３の後端と内踝２４の下とを結ぶ線分Ｌ２とが交差する位置またはその近くの位置では、足を背屈させる後脛骨筋Ｍ１と長腓骨筋Ｍ２とが交差している。
【００３０】
よって、利用者が足裏をついたとき、これらの拮抗筋の交差位置をドットマーカ３により刺激することができる。これにより、後脛骨筋Ｍ１の弛緩と長腓骨筋Ｍ２の弛緩とを促すことができる。また、着地した足裏にドットマーカ３が押し当たるタイミングにおいて歩行のための主動筋に力を入れることにより、後脛骨筋Ｍ１と長腓骨筋Ｍ２とが共に弛緩している状態で、該主動筋に力を入れることができる。足のスムースな動きを練習することができる。
【００３１】
このように、本実施形態では、歩行時の足の筋肉の使い方を利用者に教えることができる。よって、たとえば怪我などにより長期入院して足の筋力が弱り、その結果として以前のように歩行できない老人であったとしても、現在の足の筋肉状態に応じた好適な歩き方を新たに習得することができる。足の筋力が弱っていて、以前と同じ歩き方で歩こうとしても、足の筋肉の反応が遅れたり、足の筋肉の連動が上手くゆかなかったりして、以前のように歩くことができない状態であっても、現在の筋肉の状態に応じた好適で新たな歩き方を習得して、スムースに歩行することができる。
【００３２】
したがって、本実施形態の靴下１を利用することにより、歩行のリハビリテーションにおいて、現在の足の筋肉状態に応じた好適な歩き方を新たに習得させることが可能になる。また、一般人や運動選手も、自らの筋力に応じた適切な歩き方や走り方を習得するために、靴下１を利用できる。
【００３３】
［第２実施形態］
図６は、本発明の第２実施形態に係る靴下１の底面図である。図６には、左右一対の靴下１が図示されている。図７は、図６の靴下１を足に装着した状態を示す底面図である。  第２実施形態の靴下１は、図３および図４に示すように、利用者が足に直接に履くものである。そして、靴下１は、足の表面にフィットする足袋体２と足袋体２に設けられる複数のマーカとを有する。以下、主に第１実施形態の靴下１との相違点を説明する。
【００３４】
図６および図７に示すように、足袋体２には、第一ラインマーカ４、第二ラインマーカ５、及びドットマーカ３が形成される。第一ラインマーカ４は、足裏において母指球の後端と外踝の下とを結ぶ線分Ｌ１に沿って、直線状に形成される。第二ラインマーカ５は、足裏において子指球の後端と内踝の下とを結ぶ線分Ｌ２に沿って、直線状に形成される。
【００３５】
ドットマーカ３は、足裏において母指球の後端と外踝の下とを結ぶ線分Ｌ１と足裏において子指球の後端と内踝の下とを結ぶ線分Ｌ２とが交差する位置からみて踵側の近傍の位置に形成される。具体的には、第一ラインマーカ４と第二ラインマーカ５との交差位置の後側に隣接して形成される。このように、マーカは、足袋体２についての、足裏の前後方向において母指球と踵との間となる土踏まずに対応する中央部分１４のみに設けられている。
【００３６】
このように、本実施形態の靴下１では、第一ラインマーカ４と第二ラインマーカ５とが、足裏の後脛骨筋Ｍ１と長腓骨筋Ｍ２とに沿って形成される。よって、第一ラインマーカ４および第二ラインマーカ５による足の表面の刺激により、足裏をつき始めた時から、後脛骨筋Ｍ１と長腓骨筋Ｍ２とが交差する位置およびそれに向けた動きを意識することができる。また、足裏をついたときには、該交差位置を第一ラインマーカ４と第二ラインマーカ５との交差部分で刺激して、後脛骨筋Ｍ１の弛緩と長腓骨筋Ｍ２の弛緩とを促すことができる。また、その後に歩行のための主動筋に力を入れることにより、第一ラインマーカ４および第二ラインマーカ５の刺激により後脛骨筋Ｍ１と長腓骨筋Ｍ２とが共に弛緩している状態で、歩行のための主動筋に力を入れることができる。足のスムースな動きを練習することができる。
【００３７】
また、第一ラインマーカ４と第二ラインマーカ５との交差位置の近くにドットマーカ３を設けているで、利用者は、足裏に荷重をかけたときに、第一ラインマーカ４と第二ラインマーカ５との交差位置において広くて強い当たりを感じることができる。ドットマーカ３により、第１実施形態と同様に着地した状態が認識し易くなる。
【００３８】
したがって、本実施形態の靴下１を利用することにより、歩行のリハビリテーションにおいて、現在の足の筋肉状態に応じた好適な歩き方を新たに習得させることが可能になる。また、一般人や運動選手も、自らの筋力に応じた適切な歩き方や走り方を習得するために、靴下１を利用できる。
【００３９】
以上の各実施形態は、本発明の好適な実施形態の例であるが、本発明は、これに限定されるものではなく、発明の要旨を逸脱しない範囲において種々の変形または変更が可能である。
【００４０】
たとえば、第２実施形態では、第一ラインマーカ４および第二ラインマーカ５とともに、ドットマーカ３を形成している。この他にもたとえば、靴下１には、第一ラインマーカ４および第二ラインマーカ５のみを形成してもよい。
【００４１】
上記実施形態において、ドットマーカ３は、円形のドット形状に形成される。この他にもたとえば、ドットマーカ３は、たとえば四角形などの他のドット形状に形成されてもよい。
【００４２】
上記実施形態において、第一ラインマーカ４および第二ラインマーカ５は、直線状に形成されている。この他にもたとえば、第一ラインマーカ４および第二ラインマーカ５は、たとえば複数のドットを直線状に配列したものでもよい。
【００４３】
上記実施形態では、マーカは、足袋体２における足が触れる側と反対側（外側）に設けられていた。これに対し、マーカを、足袋体２における足が触れる側（内側）に設けてもよい。
【符号の説明】
【００４４】
１  靴下
２  足袋体
３  ドットマーカ（マーカ）
４  第一ラインマーカ（マーカ）
５  第二ラインマーカ（マーカ）
１１  円筒部
１２  指袋部
１３  踵部
１４  中央部分
Ｌ１  母指球の後端と外踝の下とを結ぶ線分
Ｌ２  子指球の後端と内踝の下とを結ぶ線分
Ｍ１  後脛骨筋
Ｍ２  長腓骨筋
【図１】
2016014200.tif 000003
【図２】
2016014200.tif 000004
【図３】
2016014200.tif 000005
【図４】
2016014200.tif 000006
【図５】
2016014200.tif 000007
【図６】
2016014200.tif 000008
【図７】
2016014200.tif 000009